(57)【特許請求の範囲】
【請求項１】
絶対時刻による予約とコードによる予約が可能な情報記録装置であって、
データを記録する記録手段と、
前記情報記録装置に接続された外部機器からの予約指示に基づきもしくは自らの予約指示に基づき、前記記録手段に対する前記情報記録装置の使用予定を表す予定情報を含む予定表を生成する予定表生成手段と、
前記予定表生成手段で生成された前記予定表を格納する予定表格納手段と、
前記予定表格納手段に格納されている前記予定表に含まれる前記予定情報がコード予約方式であることを示すコード予約識別子と、
前記予定表格納手段に格納されている前記予定表に含まれる前記予定情報を消去する消去手段とを備え、
前記予定表に含まれる前記予定情報のうち、前記コード予約識別子が付された予定情報は、前記情報記録装置のみが消去可能な情報記録装置。
【請求項２】
絶対時刻による予約とコードによる予約が可能な情報記録装置であって、
データを記録する記録手段と、
前記情報記録装置に接続された外部機器からの予約指示に基づきもしくは自らの予約指示に基づき、前記記録手段に対する前記情報記録装置の使用予定を表す予定情報を含む予定表を生成する予定表生成手段と、
前記予定表生成手段で生成された前記予定表を格納する予定表格納手段と、
前記予定表格納手段に格納されている前記予定表に含まれる前記予定情報がコード予約方式であることを示すコード予約識別子と、
前記予定表格納手段に格納されている前記予定表に含まれる前記予定情報を消去する消去手段とを備え、
前記予定表に含まれる前記予定情報のうち、前記コード予約識別子が付された予定情報の時刻から所定の時間が経過した場合、前記情報記録装置及び前記外部機器がその予定情報を消去可能な情報記録装置。
【請求項３】
前記所定の時間とは、放送局により規定される放映が遅れる最大時間と前記情報記録装置が記録可能な最大時間とをあわせた時間以上の時間であることを特徴とする請求項２記載の情報記録装置。
【請求項４】
前記コードによる予約は、アナログ映像を録画予約するときに使用されディジタル映像を録画予約するときには使用されないことを特徴とする請求項１〜３のいずれかに記載の情報記録装置。
【請求項５】
前記絶対時刻による予約は、ディジタル映像を録画予約するときにのみ使用されることを特徴とする請求項１〜４のいずれかに記載の情報記録装置。
【請求項６】
前記コードはＶＰＳ（Ｖｉｄｅｏ  Ｐｒｏｇｒａｍｍｅ  Ｓｙｓｔｅｍ）またはＰＤＣ（Ｐｒｏｇｒａｍｍｅ  Ｄｅｌｉｖｅｒｙ  Ｃｏｎｔｒｏｌ）で用いられている番組ラベル（ＰＩＬ：Ｐｒｏｇｒａｍｍｅ  Ｉｄｅｎｔｉｔｙ  Ｌａｂｅｌ）であることを特徴とする請求項１〜５のいずれかに記載の情報記録装置。
【請求項７】
前記予定表格納手段に格納されている前記予定情報に付された前記コード識別子は、前記情報記録装置に接続された前記外部機器から認識できるようになっていることを特徴とする請求項１〜６のいずれかに記載の情報記録装置。
【請求項８】
前記消去手段は、前記絶対時刻による予約に対して番組が予定されていた絶対時刻より遅れて放送され、前記記録手段に正常に記録されなかった際、対応する予定情報を消去せず、その予定情報に異常終了マークを付すことを特徴とする請求項１〜７のいずれかに記載の情報記録装置。
【請求項９】
請求項１〜８のいずれかに記載の情報記録装置の、前記記録手段に対する前記情報記録装置の使用予定を表す予定情報を含む予定表を生成する前記予定表生成手段、前記予定表格納手段に格納されている前記予定表に含まれる前記予定情報を消去する前記消去手段、としてコンピュータを機能させるためのプログラムを記録した記録媒体であって、コンピュータにより処理可能なプログラム記録媒体。
【発明の詳細な説明】
【０００１】
【発明の属する技術分野】
本発明は、複数の機器が予約を行う際に、使用予定情報を格納した予定表を備えた情報記録装置に関するものである。
【０００２】
【従来の技術】
従来の情報記録装置について図１を参照して説明する。
【０００３】
図１はＩＥＥＥ１３９４バスに接続された機器とアナログ回線によりアナログチューナーと接続された情報記録装置を示している。ＳＴＢ１（１）（衛星放送受信器）は、ＩＥＥＥ１３９４バス１１に接続されており、放送局から送られてくるディジタル放送を受信し、予定表２を備えた機器である。予定表２はＳＴＢ１（１）を使用する使用予定が記載されているものである。チューナー３は、ディジタル放送を受信するものである。ＳＴＢ２（４）（衛星放送受信器）は、ＩＥＥＥ１３９４バス１１に接続されており、放送局から送られてくるディジタル放送を受信し、予定表５を備えた機器である。予定表５はＳＴＢ２（４）を使用する使用予定が記載されているものである。チューナー６は、ディジタル放送を受信するものである。ＰＣ７は、ＩＥＥＥ１３９４バス１１に接続されており、ディジタルデータの入出力を行い、各機器をコントロールするパーソナルコンピュータである。ＶＣＲ８は、ＩＥＥＥ１３９４バス１１を介してディジタルデータを記録し、アナログチューナーからアナログ回線を介してアナログ信号を記録するＶＣＲ（ビデオカセットレコーダー）であり、予定表９を備えているものである。予定表９は、ＶＣＲ８を使用する使用予定が記載されているものである。記録手段１０は、記録及び再生を行うものである。なおアナログチューナーはＶＣＲ８に内蔵されていてもよい。
【０００４】
次にこのような従来例の動作を説明する。
【０００５】
予定表９には、ＩＥＥＥ１３９４バス１１を介して接続された各機器によりＶＣＲ８を使用する使用予定が記載されている。例えば図８の２９に示すように各機器がＶＣＲ８を予約している。例えばＳＴＢ１（１）が１１月１１日の６時００分から８時までＶＣＲ８を使用する予約をしていることを示している。予約を行った各機器はそれぞれの予約時間になったときに、ＩＥＥＥ１３９４バス１１を介して、ＶＣＲ８の記録手段１０に記録開始及び終了の制御を行う。ＳＴＢ１（１）がＶＣＲ８に録画する場合の予定表９にそれぞれ予定情報を書き込む。このようにして図８の２９のような内容の予定表９が作成される。さらにＰＣ７がＳＴＢ２（４）により番組を受信して、ＶＣＲ８に録画する予約を行う場合、ＰＣ７はコマンドによりＳＴＢ１（１）の予定表２に予定情報を書き込み、さらにＶＣＲ８の予定表９に予定情報を書き込むことで外部の機器にその時間帯の予約をしたことを知らせる。ＳＴＢ１（１）からＶＣＲ８の予定情報の予定表９への書き込みはＩＥＥＥ１３９４のコマンドで行われる。その結果予定表９の内容は、図８の２９のようになる。各機器の予約状況を図７に示しておく。すなわちＰＣ７は１１月１１日の１１時３５分から１２時００分までＶＣＲ８を使用して録画する予約をしていることがわかる。またアナログチューナー１２を用いてアナログ放送をＶＣＲ８が予約する場合、ＶＣＲ８自らが予定表９に予定情報を書き込む。図８の２９ではＶＣＲ８は１１月１１日の１０時００分から１１時００分まで予約していることがわかる。
【０００６】
このようにＩＥＥＥ１３９４バス１１に接続されている各機器や自らが予定表９に予定情報を書き込むことによってＶＣＲ８が予約を行ったことを外部の機器に知らせることが出来る。また予定情報を予定表９から削除することによって、ＶＣＲ８が予約を取り消したことを外部の機器に知らせることが出来る。
【０００７】
実際に放映される番組は、ディジタル放送の場合もアナログ放送の場合も例えば野球中継などの放送時間が一定していない番組のために予定されていた時間より遅れて放映されることがある。このことは、ディジタル放送の場合、放送局から知らされる。予約した機器はこの情報をもとに書き込んだ予定情報を書き替える。またアナログ放送の場合、ＶＰＳ（Ｖｉｄｅｏ  Ｐｒｏｇｒａｍｍｅ  Ｓｙｓｔｅｍ）やＰＤＣ（Ｐｒｏｇｒａｍｍｅ  Ｄｅｌｉｖｅｒｙ  Ｃｏｎｔｒｏｌ）などの規格で定められているように番組ラベルを使うものがある。すなわち、予約の実行は現在時刻に関係なく、放送局から送られてくる番組ラベルによってのみ行われる。番組ラベルは、各番組毎に固有な値を持つ必要があるので、通常その番組を放送する放送局のコードとその番組が開始する月、日、時、分とより生成される。番組ラベルを使用する際は、絶対時刻により録画開始するのではなく番組ラベルを検出することによって録画開始を行う。従って番組ラベルを用いる場合は、予定表の録画開始時刻を書き替える必要がない。いわばディジタル放送の場合は絶対時刻を用いて番組予約を行い、番組ラベルを使用する放送の場合は、放送局から送られてくる時刻を使用することになる。以下番組ラベルのことをコードと呼ぶことにする。
【０００８】
予定表には、コードを使う場合も絶対時刻を使う場合も、区別せず予約時刻が図８の２９のように記載される。
【０００９】
またＳＴＢ１（１）やＶＣＲ８が、毎日指定された時刻に予約を行う繰り返し予約の場合、例えば１１月１１日の機器を使用する予定の絶対時刻が終了した後、改めて１１月１２日の予約が行われる。
【００１０】
【発明が解決しようとする課題】
しかしながら、上述したように、ＶＣＲ８などの従来の情報記録装置では、予定表に記載されている予定情報は番組ラベルに基づく時刻を用いて予約されたものであるか、絶対時刻を用いて予約されたものであるかの区別がなされていない。そのためコードに基づき予定表に記載することによって予約した予定情報が、予定されていた放映時刻より遅れて放映された場合、外部の機器からは予定表の予定情報の終了時刻を絶対時刻として捉えるのであたかもその放送が終了したかのように見える。つまり番組の放映はまだ続いているかまたはこれから放映されるのに、予定表には外部の機器にとって番組が終了したように見えることになる。従ってコードに基づく時刻を用いて予約した場合、その番組の放映時間が遅れた場合、外部の機器がその予約を消去してしまうため、予約していないにもかかわらず、ＶＣＲ８である情報記録装置を使用することになる。この時に別の予約が行われていた場合、外部の機器が、ＶＣＲ８である情報記録装置が重複実行されたことを知ることが出来ないという課題がある。
【００１１】
また絶対時刻による予約を行う場合とコードに基づく時刻を用いて予約を行う場合に関係なく録画処理が正常に行えなかった場合に、その予定情報を外部の機器が消去してしまうため、予定表からは録画処理が異常に終了したのかを知ることができないという課題がある。
【００１３】
本発明は、コードに基づく番組の放映時間が遅れた場合、外部の機器がその予約を消去してしまうため、外部の機器が情報記録装置が重複実行されたことを知ることが出来ないという課題と、録画処理が正常に行えなかった場合に、その予定情報を外部の機器が消去してしまうため、予定表から録画処理が異常終了したのかどうかを知ることができないという課題を考慮し、コードに基づく番組の放映時間が遅れた場合でも、重複実行されたことを外部の機器が知ることが出来、録画処理が異常終了した場合に、その旨を予定情報から知ることが出来る情報記記録装置及びプログラム記録媒体を提供することを目的とする。
【００１４】
【課題を解決するための手段】
上述した課題を解決するために、第１の本発明（請求項１に対応）は、絶対時刻による予約とコードによる予約が可能な情報記録装置であって、
データを記録する記録手段と、
前記情報記録装置に接続された外部機器からの予約指示に基づきもしくは自らの予約指示に基づき、前記記録手段に対する前記情報記録装置の使用予定を表す予定情報を含む予定表を生成する予定表生成手段と、
前記予定表生成手段で生成された前記予定表を格納する予定表格納手段と、
前記予定表格納手段に格納されている前記予定表に含まれる前記予定情報がコード予約方式であることを示すコード予約識別子と、
前記予定表格納手段に格納されている前記予定表に含まれる前記予定情報を消去する消去手段とを備え、
前記予定表に含まれる前記予定情報のうち、前記コード予約識別子が付された予定情報は、前記情報記録装置のみが消去可能な情報記録装置である。
【００１５】
また第２の本発明（請求項２に対応）は、絶対時刻による予約とコードによる予約が可能な情報記録装置であって、
データを記録する記録手段と、
前記情報記録装置に接続された外部機器からの予約指示に基づきもしくは自らの予約指示に基づき、前記記録手段に対する前記情報記録装置の使用予定を表す予定情報を含む予定表を生成する予定表生成手段と、
前記予定表生成手段で生成された前記予定表を格納する予定表格納手段と、
前記予定表格納手段に格納されている前記予定表に含まれる前記予定情報がコード予約方式であることを示すコード予約識別子と、
前記予定表格納手段に格納されている前記予定表に含まれる前記予定情報を消去する消去手段とを備え、
前記予定表に含まれる前記予定情報のうち、前記コード予約識別子が付された予定情報の時刻から所定の時間が経過した場合、前記情報記録装置及び前記外部機器がその予定情報を消去可能な情報記録装置である。
【００１６】
また第３の本発明（請求項３に対応）は、放送局により規定される放映が遅れる最大時間と前記情報記録装置が記録可能な最大時間とをあわせた時間以上の時間であることを特徴とする第２の本発明の情報記録装置である。
【００１７】
また第４の本発明（請求項４に対応）は、前記コードによる予約は、アナログ映像を録画予約するときに使用されディジタル映像を録画予約するときには使用されないことを特徴とする第１〜３のいずれかの本発明の情報記録装置である。
【００１８】
また第５の本発明（請求項５に対応）は、前記絶対時刻による予約は、ディジタル映像を録画予約するときにのみ使用されることを特徴とする第１〜４のいずれかの本発明の情報記録装置である。
【００１９】
また第６の本発明（請求項６に対応）は、前記コードはＶＰＳ（Ｖｉｄｅｏ  Ｐｒｏｇｒａｍｍｅ  Ｓｙｓｔｅｍ）またはＰＤＣ（Ｐｒｏｇｒａｍｍｅ  Ｄｅｌｉｖｅｒｙ  Ｃｏｎｔｒｏｌ）で用いられている番組ラベル（ＰＩＬ：Ｐｒｏｇｒａｍｍｅ  Ｉｄｅｎｔｉｔｙ  Ｌａｂｅｌ）であることを特徴とする第１〜５の発明のいずれかに記載の情報記録装置である。
【００２０】
また第７の本発明（請求項７に対応）は、前記予定表格納手段に格納されている前記予定情報に付された前記コード識別子は、前記情報記録装置に接続された前記外部機器から認識できるようになっていることを特徴とする第１〜６のいずれかの本発明の情報記録装置である。
【００２１】
また第８の本発明（請求項８に対応）は、前記消去手段は、前記絶対時刻による予約に対して番組が予定されていた絶対時刻より遅れて放送され、前記記録手段に正常に記録されなかった際、対応する予定情報を消去せず、その予定情報に異常終了マークを付すことを特徴とする第１〜７のいずれかの本発明の情報記録装置である。
【００２７】
また第９の本発明（請求項９に対応）は、第１〜８のいずれかの本発明の情報記録装置の、前記記録手段に対する前記情報記録装置の使用予定を表す予定情報を含む予定表を生成する前記予定表生成手段、前記予定表格納手段に格納されている前記予定表に含まれる前記予定情報を消去する前記消去手段、としてコンピュータを機能させるためのプログラムを記録した記録媒体であって、コンピュータにより処理可能なプログラム記録媒体である。
【００２８】
【発明の実施の形態】
以下に本実施の形態を図面を参照して説明する。
【００２９】
（実施の形態１）
まず第１の実施の形態について、図１、図５、図６、図９、図１０を参照して説明する。
【００３０】
図１は予定表を備えた機器からなる機器構成である。図１の構成は従来の技術で説明したものと同一である。本発明の情報記録装置としてＶＣＲ８について説明する。
【００３１】
本実施の形態のＶＣＲ８は、従来の技術と同じく、絶対時刻による予約とコードによる予約が行われる。
【００３２】
すなわち絶対時刻による予約が行われるのは、ＩＥＥＥ１３９４バスを介して他の機器、もしくはＶＣＲ８みずからが予約を行う場合である。ＶＣＲ８以外の外部の機器からの予約のコマンドは、アシンクロナスパケット転送とよばれる非同期の転送方式で発せられる。またＩＥＥＥ１３９４バスを介して送られてくるディジタルデータはアイソクロナスパケット転送とよばれるリアルタイムデータ転送が可能な転送方式で行われる。ＩＥＥＥ１３９４バスを介してコマンドやデータを送る際、それぞれアシンクロナスパケット転送及びアイソクロナスパケット転送が用いられることは、以下あらわに述べない。
【００３３】
コードによる予約が行われるのは、アナログチューナー１２で受信され、アナログ回線を介してＶＣＲ８に送られてくるアナログ信号に対してである。このアナログ信号が放送局から送られる際、放送信号に番組開始時刻を示すコードが送信されてくる。このコードは放送信号のＶＢＩと呼ばれる区間を利用して送信されてくる。本実施の形態のＶＣＲ８は一方で絶対時刻による予約を行うディジタルデータを記録し、他方でコードによる予約を行うアナログ信号をアナログ信号として記録するか、またはディジタルデータに変換した後、記録することができるものである。
【００３４】
ＶＣＲ８は本実施の形態では図２のように構成される。
【００３５】
すなわちＶＣＲ８は、アナログＩ／Ｆ１４、検出手段１５、予定表生成手段１６、記録手段１７、制御手段１８、予定表格納手段１９、消去手段２０、コード予約識別子生成手段２１、予定制御手段３２から構成される。
【００３６】
アナログＩ／Ｆ１４は、アナログチューナー１２から送られてくるアナログ信号をアナログ回線を介してＶＣＲ８の内部に入力する手段である。検出手段１５は、放送局から送られてくるアナログＩ／Ｆ１４を介して送られてくるアナログ信号からコードを検出する手段である。予定表生成手段１６は、外部の機器から予約コマンドが送られてきた場合やＶＣＲ８自らが予約をした場合に予定情報を生成し、生成した予定情報は予定表格納手段１９に格納する手段である。消去手段２０は、予定表格納手段１９に格納されている予定情報を消去する手段である。制御手段１８は、予定制御手段３２からの情報に基づいて、記録手段１７の録画処理を開始させまた終了させる手段である。記録手段１７は、記録媒体にデータの記録を行う手段である。コード予約識別子生成手段２１は、コードによる予約を行う予約命令を受け取った場合、その予約がコード予約であることを識別するためのコード予約識別子を生成し、生成されたコード予約識別子は予定表生成手段１６に送られ、生成された予定情報と対にして予定表格納手段１９に格納されるものである。予定制御手段３２は、録画予約命令を受け取り、録画の開始を制御手段１８に通知する手段である。Ｄ−ＩＦ１３は、ＩＥＥＥ１３９４バス１１を介してディジタルデータやコマンドを受け取り、予定表生成手段１６や制御手段１８に転送または通知する手段である。ＩＥＥＥ１３９４バス１１から予約制御手段３２に予約を行うことも可能である。コード予約識別子については後述する。
【００３７】
次にこのような本実施の形態の動作を説明する。
【００３８】
予定表格納手段１９に格納されている予定情報に関して若干の補足説明を行う。絶対時刻による予約がなされた際、予約された番組の放映時刻が予定されていたものより遅れる場合は、予め放送局からその番組の放映開始時刻が絶対時刻で通知されてくるので、この情報をもとに予定表格納手段１９の内容を更新する。コードによる予約がなされた際、予約された番組の放映時刻が予定されていたものより遅れた場合でも実際に録画処理が開始されるのは、コードの内容に従って行われるため、予定表格納手段１９の内容は変更されず、放送局より録画開始のコードが送られてきた時に録画を開始する。絶対時刻による予約では予定表格納手段１９の内容が実際に機器を使用する時間を示しているが、コード予約では予定表格納手段１９の内容からだけでは放送開始時刻が遅れた場合に、実際に機器を使用する時間を特定出来ない。すなわち、コードによる予約の場合、予定情報だけからでは、いつ録画処理が終了したのかはわからない。
【００３９】
このように予定情報にはコードによる予約によるものと絶対時刻によるものが存在するので、両者を区別するために本実施の形態ではコード予約識別子を設けた。すなわち予定情報にコード識別子が付されたものがコードによる予約であり、コード識別子が付されていない予定情報が絶対時刻による予定情報である。図１０の機器の「ＶＣＲ」の予定情報には、「コード」の欄に「＊」が表示されている。このことはＶＣＲ８がコードによる予約を行ったことを示している。
【００４０】
ここで、コードによる予約を行う動作を説明する。アナログ放送の予約を行う場合、ＶＣＲ８はコード予約識別子をコード予約識別子生成手段２１で生成する。生成されたコード予約識別子は、予定表生成手段１６で予定情報に付加されて、予定表格納手段１９に格納される。ここで、ＶＣＲ８への予約はＶＣＲ８に付属している図示していないリモコンあるいは本体の操作キーを用いて行うことが出来る。ただし、予定表生成手段１６は予定情報を生成する際に既に予定表格納手段１９に格納されている予定情報と重複がないかどうかをチェックし、重複していれば予定表生成手段１６は予約が重複した旨の警告を予約元の機器に対して発したり、新たに予定情報を生成しないようにすることも可能である。
【００４１】
さらにＶＣＲ８に対して絶対時刻による予約が行われる動作を説明する。ＩＥＥＥ１３９４バス１１を介して外部機器としてＳＴＢ１（１）から、予約コマンドをＶＣＲ８に送出し、ＶＣＲ８のＤ−ＩＦ１３は予約コマンドをＶＣＲ８の内部に入力する。入力された予約コマンドは予定表生成手段１６に渡され、予定表生成手段１６で予定情報を生成し、生成した予定情報は、予定表格納手段１９に格納される。またＳＴＢ１（１）は自らの予定表２にも同じ予定情報を格納する。ただし、予定表生成手段１６は予定情報を生成する際に既に予定表格納手段１９に格納されている予定情報と重複がないかどうかをチェックし、重複していれば予定表生成手段１６は予約が重複した旨の警告を予約元の機器に対して発したり、新たに予定情報を生成しないようにすることも可能である。
【００４２】
２種類の予約方式により生成された予定情報は、予定表格納手段１９に格納されている。
【００４３】
図１０にこのようにして作成された予定表格納手段１９のＶＣＲ８の予定情報を示す。ＳＴＢ１（１）は１１月１１日の６時００分から８時００分まで予約しており絶対時刻による予約であることを示している。またＶＣＲ８は１１月１１日の１０時００分から１１時００分まで予約しておりコードによる予約であることを示している。さらに図９の３０に時刻を縦軸にとり横軸に予定表格納手段１９の予約状況を示す。現在ＳＴＢ１（１）、ＳＴＢ２（４）、ＰＣ７、ＶＣＲ８による予約が行われている。図１の予定表９は、予定表格納手段１９の内容を示しており、外部機器から内容を見ることが出来る。
【００４４】
ここで、このように予約された内容に基づく動作について説明する。
【００４５】
１１月１１日の６時００分になるとＳＴＢ１（１）がＶＣＲ８に録画開始コマンドを送り、ＳＴＢ１のチューナー３で受信された番組のデータがＳＴＢ１（１）からＩＥＥＥ１３９４バス１１に送られる。録画開始コマンドを制御手段１８が受け取ると、制御手段１８は記録手段１７が記録を開始するよう制御する。１１月１１日の１０時になるとＳＴＢ１（１）がＶＣＲ８に停止コマンドを送ることによりＶＣＲ８の録画が終了する。録画が終了した時点で予定表９に記載されている予定情報は接続されているすべての機器が消去することが出来る。
【００４６】
次に検出手段１５は１１月１１日１０時００分のコードを検出する。１１月１１日１０時００分になると、１１月１１日１０時００分のコードの放送が開始されるので、１１月１１日１０時００分のコードを検出した検出手段１５は、予定制御手段３２に検出したことを知らせ、制御手段１８に通知し、制御手段１８が記録手段１７に記録開始するよう制御する。次に検出手段１５が次のコードを検出すると、予定制御手段３２に知らせ、予定制御手段３２から制御手段１８に予定が終了したことを知らせると、制御手段１８は、記録手段１７の記録を終了させる。
【００４７】
コードによる録画の場合、録画終了は前述したようにコードの変化によって判定されるので、アナログ回線とは別のＩＥＥＥ１３９４バス１１に接続しているＶＣＲ８以外の外部の機器は録画が終了したかどうかを知りうる術がない。コードを検出し、検出したコードを常にチェックしているＶＣＲ８のみが録画終了を知ることができる。
【００４８】
従って、本実施の形態では、コードによる予約がなされた場合にその予定情報は、その録画が終了したことを知り得る機器つまりＶＣＲ８のみがその予定情報を消去できる。
【００４９】
すなわち消去手段２０は、制御手段１８から録画が終了した予定情報を通知され、この情報に基づいて予定表格納手段１９に格納されている予定情報を消去する。
【００５０】
コード予約の場合、放映時間が遅れて、番組がどの時間帯に放映されるかわからないので、録画動作が実際に開始されるまで他の予定情報と重複予約されているかどうか実際に録画処理が開始されるまで解らない。予め重複予約を回避できないので、予約された内容が正常に終了しない場合が起こる。放映時間の遅れにより、予約が重複してしまい、予約が正常に終了しなかった場合には、その予定情報を所定の時間に消去しないようにし、正常に終了しなかったことを示す異常終了マークを予定情報に付し、異常終了を知らせるまで、消去手段２０はその予定情報を消去しないようにする。図１０の３１のＰＣ７は、「エラー」の欄に「＊」印が付されているので、異常終了したことが解る。
【００５１】
また図５と図６にＶＣＲ８の概念図を示す。予定表２５に基づいて、記録手段１７が絶対時刻で予約を行うディジタルデータとコードによる予約を行うアナログ信号を同時に常に監視している状態を示している。また図６には記録手段２６が予定表２５によって切替スイッチ２７のスイッチを切り替えることによってディジタルデータとアナログ信号の監視を切り替えていることを示している。すなわちディジタルデータの信号とアナログ信号を記録手段１７が常に同時に監視するか、切替スイッチ２７を設けてディジタルデータの信号とアナログ信号の切り替えを行うことによってディジタル信号とアナログ信号を検出することが出来る。
【００５２】
このようにすることによって正常に終了しなかったことを知らせることが出来る。
【００５３】
なお本実施の形態のＶＣＲは本発明の情報記録装置の例である。
【００５４】
さらに本発明の情報記録装置は、本実施の形態のＶＣＲに限らず、ＨＤＤ、ＭＤ、ＤＶＤなど、要するに記録機器であればなんでもよい。ただし、例えばＨＤＤのように同時に複数のデータを記録できる記録機器も存在するが、このような複数のデータを記録可能な記録機器の場合も、記録機器の処理速度を越える量のデータが記録される場合、全て記録できない場合が発生する。従って複数記録可能な機器の場合も本発明が有効である。
【００５５】
さらに本発明の情報記録装置は、本実施の形態のようにアナログチューナーが外部にあるものに限らず、アナログチューナーを内部に備えているものでも同等の効果が得られる。
【００５６】
さらに本実施の形態では、情報記録装置であるＶＣＲのみがコードによる予約をした予定情報を消去できるとしたが、これに限らず、情報記録装置からコードによる予約が完了したと通知された機器もコードによる予定情報を消去できるし、また絶対時刻による予約を行う予定情報の場合、録画終了を予定情報から知りうるので、予定情報を参照できる任意の機器がその予定情報を消去することが出来る。要するに録画が完了したことを知りうる任意の機器がその録画情報を消去することができる。
【００５７】
さらに本実施の形態では機器構成として図１に示したような構成にしたが、これに限らず外部の機器の種類、台数とも自由に構成して構わない。ただしＩＥＥＥ１３９４インターフェースを用いる場合、同時に接続できる機器の台数は最大６４台までに制限される。
【００５８】
（実施の形態２）
次に第２の実施の形態について図１、図２を参照して説明する。
【００５９】
本実施の形態の機器構成は図１に示すように第１の実施の形態の機器構成と同じ構成である。
【００６０】
また本実施の形態のＶＣＲは図２に示すように第１の実施の形態のＶＣＲと同じ構成である。
【００６１】
以下本実施の形態の動作のうち第１の実施の形態との相違点を中心に述べる。
【００６２】
まずＰＤＣの規格によると、通常ＰＤＣのコードの有効期限は、前日の２０時から翌日の４時までの３２時間である。すなわち放映時刻が遅れても最大３２時間以上の遅れはないことになる。同様にＶＰＳにも放映時刻が遅れる最大時間が決まっておりそれ以上放映時刻が遅れることはない。
【００６３】
従って第１の実施の形態では、コードによる予約の場合、その予定情報に基づく録画が終了したことを知りうる機器のみがその予定情報を消去することが出来るように構成した。これとは別の方法として本実施の形態では、予定情報に基づく録画処理が明らかに終了する時間まで、予定情報を消去しないように構成した。すなわちコードによる予約の場合、番組が遅れる最大時間と機器が録画できる最大録画可能な時間の和である時間までは、コードによる予約の予定情報を消去できないようにした。そしてその時間が経過した後は、ＶＣＲ８やＳＴＢ１（１）など自らまたは任意の外部の機器など予定表の処理が終了したことが解らない機器でもその予定情報を消去することができる。
【００６４】
ただし、第１の実施の形態と同じく、コードによる予約の番組の放映時間が遅れた場合、他の予定情報に基づく予約と時間帯が重複する場合がある。この場合は、重複したために録画が正常に終了しなかった予定情報に図１０のように異常終了マークを付すことで、異常終了したことをＰＣ７などの外部の機器に知らせることが出来る。
【００６５】
なお本実施の形態のＶＣＲは本発明の情報記録装置の例である。
さらに本発明の情報記録装置は、本実施の形態のＶＣＲに限らず、ＨＤＤ、ＭＤ、ＤＶＤなど、要するに記録機器であればなんでもよい。ただし、例えばＨＤＤなどのように同時に複数のデータを記録できる記録機器も存在するが、このような複数のデータを記録可能な記録機器の場合も、記録機器の処理速度を越える量のデータが記録される場合、全て記録できない場合が発生する。従って複数記録可能な機器の場合も本発明が有効である。
【００６６】
さらに本発明の情報記録装置は、本実施の形態のようにアナログチューナーが外部にあるものに限らず、アナログチューナーを内部に備えているものでも同等の効果が得られる。
【００６７】
さらに本実施の形態では機器構成として図１に示したような構成にしたが、これに限らず外部の機器の種類、台数とも自由に構成して構わない。ただしＩＥＥＥ１３９４インターフェースを用いる場合、同時に接続できる機器の台数は最大６４台までに制限される。
【００６８】
（実施の形態３）
次に第３の実施の形態について図面を参照して説明する。
【００６９】
本実施の形態の機器構成は図１に示すように第１の実施の形態の機器構成と同じ構成である。
【００７０】
また本実施の形態のＶＣＲは図３に示すように管理手段２３を有する以外は第１の実施の形態のＶＣＲと同じ構成である。
【００７１】
管理手段２３は、絶対時刻の予約である場合とコードによる予約である場合に関わらず予定表格納手段の予定情報を管理する手段である。
【００７２】
以下本実施の形態の動作のうち第１の実施の形態との相違点を中心に述べる。
【００７３】
第１の実施の形態と同様に図９の３０のように予定表９が予約されている。予定表９は、図１０のようになっている。すなわち１１月１１日の１１時３５分がくるとＰＣ７が予約した録画が開始される。ところが何らかの理由、例えば予定表９が他の予定と重複したり、ＶＣＲ８の記録手段１７にテープ媒体が装着されていなかったりした場合に、ＰＣ７の予約した録画が正常に終了しないことが生じる。
【００７４】
このような場合、管理手段２３は、予定していた予約時刻を過ぎても消去手段２０がＰＣ７の予定情報を消去しないように管理し、正常に録画処理が終了しなかったことを示す異常終了マークを予定情報に付す。図１０の３１のＰＣ７の予定情報の「エラー」の欄には「＊」が付され、これにより予定が正常に終了されなかったことが示される。これが異常終了マークである。
【００７５】
このように正常に動作が終了しなかった場合には異常終了を示す異常終了マークを予定情報に付し、所定の時間消去できないようにするか、または異常終了を知らせることができれば消去してもよいようにすることによって、その予定情報を予定表９から録画処理が正常に終了しなかったことを知らせることができる。
【００７６】
（参考例）
次に、参考例として本発明に関連する発明について図面を参照して説明する。
【００７７】
参考例の機器構成は図１に示すように第１の実施の形態の機器構成と同じ構成である。
【００７８】
また参考例のＶＣＲは図４に示すように書き替え手段２４を有する以外は第１の実施の形態のＶＣＲと同じ構成である。
【００７９】
書き替え手段２４は、予定情報が繰り返し予約である場合、記録手段１７で録画が終わった際、予定情報を次の予約に書き替える手段である。
【００８０】
以下参考例の動作のうち第１の実施の形態との相違点を中心に述べる。
【００８１】
第１の実施の形態と同様に図９の３０のように予定表９が予約されている。予定表９は、図１０のようになっている。すなわち１１月１１日の８時００分がくるとＳＴＢ２（４）が予約した録画が開始される。そして１１月１１日の１０時００分になると録画が終了する。録画が終了すると、改めて１１月１２日の８時００分から１０時００分まで予約を行うように書き替え手段２４が予定情報を書き替える。
【００８２】
このように予約には、毎日一定の時刻に予約を行うなど、繰り返し予定情報の書き込みが行われるものがある。予定情報に基づいて予約処理が行われ、予約処理が終了した時点で予約を書き替えるようにした場合、予定情報の書き替えは他の機器との競争になる。すなわちすでに予約処理が終了した本日の予約を消去手段２０が消去した直後に、他の機器が予約を予定表９に書き込む場合がある。このような場合、もし予定表９が格納されている予定表格納手段１９が格納できる全てに予定情報が書き込まれている場合、他の機器が予定を書き込んだために次の日の予定情報を書き込めないという事態が生じる。
【００８３】
このような場合を考慮して、繰り返し予約の予定情報には繰り返し予約マークを付すようにした。図１０のＳＴＢ２（４）が予約した予定情報の「繰り返し」欄には「＊」のマークが付されている。そして書き替え手段２４は、この繰り返しマークをもとにその予約が繰り返し予約であることを認識し、このマークが付されている予定情報の場合、予約が終了してから一定の時間内では、他の機器から予定情報を書き替えることができないようにする。さらに書き替え手段２４はこの一定の時間の間に次の予定情報を書き替える。
【００８４】
このようにすると、繰り返し予約が終了した時点での予約書き替えの競争が発生せず、確実に繰り返し予約を行うことが出来る。
【００８５】
なお本発明の情報記録装置の各構成要素の一部または全部の機能をソフトウェアを用いて実現しても構わないし、専用のハードウェアによって実現しても構わない。
【００８６】
さらに本発明の情報記録装置の各構成要素の一部または全部の機能をコンピュータに実行させるためのプログラムを格納しているプログラム記録媒体も本発明に属する。
【００８７】
【発明の効果】
以上説明したところから明らかなように、本発明は、コードに基づく番組の放映時間が遅れた場合でも、録画処理が重複実行されたことを知ることが出来、録画処理が正常に行えなかった場合でも、予定表から録画処理が異常終了したかどうかを知ることが出来る情報記録装置及びプログラム記録媒体を提供することが出来る。
【図面の簡単な説明】
【図１】本発明の第１〜第３の実施の形態、参考例及び従来の技術における機器構成を示す構成図
【図２】本発明の第１及び第２の実施の形態におけるＶＣＲの構成を示すブロック図
【図３】本発明の第３の実施の形態におけるＶＣＲの構成を示すブロック図
【図４】本発明に関連する発明の参考例におけるＶＣＲの構成を示すブロック図
【図５】本発明の第１及び第２の実施の形態におけるＶＣＲの概念図
【図６】本発明の第１及び第２の実施の形態におけるＶＣＲの概念図
【図７】従来の情報記録装置に対する各機器の予約状況を示す図
【図８】従来の情報記録装置の予定表の内容を示す図
【図９】本発明の第１〜第３の実施の形態及び参考例におけるＶＣＲに対する各機器の予約状況を示す図
【図１０】本発明の第１〜第３の実施の形態及び参考例におけるＶＣＲの予定表の内容を示す図
【符号の説明】
１２  アナログチューナー
１３  Ｄ−Ｉ／Ｆ
１４  アナログＩ／Ｆ
１５  検出手段
１６  予定表生成手段
１７  記録手段
１８  制御手段
１９  予定表格納手段
２０  消去手段
２１  コード予約識別子生成手段
３２  予約制御手段
【図１】
0004149053.tif 000002
【図２】
0004149053.tif 000003
【図３】
0004149053.tif 000004
【図４】
0004149053.tif 000005
【図５】
0004149053.tif 000006
【図６】
0004149053.tif 000007
【図７】
0004149053.tif 000008
【図８】
0004149053.tif 000009
【図９】
0004149053.tif 000010
【図１０】
0004149053.tif 000011